【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
主流路（４）を流れる空気の流量を測定する空気流量測定装置において、
前記主流路を流れる空気の一部が流れる計測流路（１５）、および前記計測流路に対して仕切壁（１７）によって仕切られた回路室（１８）を有するハウジング（１０）と、
前記計測流路を流れる空気の流量に応じた信号を出力する検出素子（３１）および前記検出素子を駆動する電子部品（３２）が回路基板（３３）に実装され、前記ハウジングに固定されているセンサアッセンブリ（３０）と、を備え、
前記回路基板の外縁は、破断された形状の破断部（３７）、および、前記破断部より表面粗さの小さい切断部（３６）を有し、
前記回路基板の外縁のうち前記破断部を含む部位は、前記計測流路に配置されておらず、前記計測流路を除く位置に配置されており、
前記破断部は、前記回路室内に配置されており、
前記回路基板は、前記ハウジングの内壁に接着剤（６１）により固定されている、空気流量測定装置。
【請求項２】
主流路（４）を流れる空気の流量を測定する空気流量測定装置において、
前記主流路を流れる空気の一部が流れる計測流路（１５）、および前記計測流路に対して仕切壁（１７）によって仕切られた回路室（１８）を有するハウジング（１０）と、
前記計測流路を流れる空気の流量に応じた信号を出力する検出素子（３１）および前記検出素子を駆動する電子部品（３２）が回路基板（３３）に実装され、前記ハウジングに固定されているセンサアッセンブリ（３０）と、を備え、
前記回路基板の外縁は、破断された形状の破断部（３７）、および、前記破断部より表面粗さの小さい切断部（３６）を有し、
前記回路基板の外縁のうち前記破断部を含む部位は、前記計測流路に配置されておらず、前記計測流路を除く位置に配置されており、
前記破断部は、前記回路室内に配置されており、
前記ハウジングは、前記回路室を形成する内壁に複数の突起（１９）を有しており、
前記回路基板は、複数の前記突起に対して圧入により固定されている、空気流量測定装置。
【請求項３】
前記ハウジングの前記計測流路には、前記回路基板の外縁のうち前記切断部が配置されている、請求項１または２に記載の空気流量測定装置。
【請求項４】
前記回路基板の外縁のうち前記破断部を含む部位は、前記ハウジングを形成する樹脂によりモールドされている、請求項１から３のいずれか１つに記載の空気流量測定装置。
【請求項５】
前記回路基板のうち前記電子部品が実装されている面は、ポッティング剤（６０）で封止されている、請求項１から４のいずれか１つに記載の空気流量測定装置。
【請求項６】
前記ハウジングと共に前記回路室を密閉するカバー（２０）をさらに備える、請求項１から５のいずれか１つに記載の空気流量測定装置。
【請求項７】
前記回路基板の外縁のうち最も外側の部位に前記切断部が形成されており、
前記回路基板の外縁のうち最も外側の部位に対し内側に凹んだ位置に前記破断部が形成されている、請求項１から６のいずれか１つに記載の空気流量測定装置。
【請求項８】
主流路（４）を流れる空気の流量を測定する空気流量測定装置を製造する製造方法において、
空気の流量に応じた信号を出力する検出素子（３１）および前記検出素子を駆動する電子部品（３２）が実装される複数の回路基板（３３）が一体に形成された集合基板（４０）を形成すること（Ｓ１）と、
前記集合基板に切断加工を行い前記回路基板の外縁に切断部（３６）を形成すること（Ｓ２）と、
前記集合基板から前記切断部の形成されていない部位を破断して前記回路基板の外縁に破断部（３７）を形成し、前記回路基板を個片化すること（Ｓ３）と、
前記主流路を流れる空気の一部が流れる計測流路（１５）を有するハウジング（１０）を射出成形すること（Ｓ５）と、
前記ハウジングの射出成形と同時、または、前記ハウジングの射出成形の後に、前記回路基板の外縁のうち前記破断部を前記計測流路に配置することなく、前記計測流路を除く位置に前記破断部を配置し、前記回路基板を前記ハウジングに固定すること（Ｓ４、Ｓ５）を含む、空気流量測定装置の製造方法。
【請求項９】
前記ハウジングの射出成形と同時に、前記ハウジングを形成する樹脂により前記回路基板の前記破断部をモールドする、請求項８に記載の空気流量測定装置の製造方法。
【手続補正２】
【補正対象書類名】明細書
【補正対象項目名】０００７
【補正方法】変更
【補正の内容】
【０００７】
上記目的を達成するため、請求項１に記載の発明によれば、主流路を流れる空気の流量を測定する空気流量測定装置は、ハウジングとセンサアッセンブリを備える。ハウジングは、主流路を流れる空気の一部が流れる計測流路、および計測流路に対して仕切壁（１７）によって仕切られた回路室（１８）を有する。センサアッセンブリは、計測流路を流れる空気の流量に応じた信号を出力する検出素子およびその検出素子を駆動する電子部品が回路基板に実装され、ハウジングに固定される。回路基板の外縁は、破断された形状の破断部、および、その破断部より表面粗さの小さい切断部を有する。その回路基板の外縁のうち破断部を含む部位は、計測流路に配置されておらず、計測流路を除く位置に配置されている。さらに、破断部は、回路室内に配置されている。回路基板は、ハウジングの内壁に接着剤（６１）により固定されている。
また、請求項２に記載の発明によれば、主流路を流れる空気の流量を測定する空気流量測定装置は、ハウジングとセンサアッセンブリを備える。ハウジングは、主流路を流れる空気の一部が流れる計測流路、および計測流路に対して仕切壁（１７）によって仕切られた回路室（１８）を有する。センサアッセンブリは、計測流路を流れる空気の流量に応じた信号を出力する検出素子およびその検出素子を駆動する電子部品が回路基板に実装され、ハウジングに固定される。回路基板の外縁は、破断された形状の破断部、および、その破断部より表面粗さの小さい切断部を有する。その回路基板の外縁のうち破断部を含む部位は、計測流路に配置されておらず、計測流路を除く位置に配置されている。さらに、破断部は、回路室内に配置されている。ハウジングは、回路室を形成する内壁に複数の突起（１９）を有しており、回路基板は、複数の突起に対して圧入により固定されている。
【手続補正３】
【補正対象書類名】明細書
【補正対象項目名】０００９
【補正方法】変更
【補正の内容】
【０００９】
請求項８に記載の発明によれば、主流路を流れる空気の流量を測定する空気流量測定装置を製造する製造方法は、次のことを含む。空気の流量に応じた信号を出力する検出素子およびその検出素子を駆動する電子部品が実装される複数の回路基板が一体に形成された集合基板を形成すること。集合基板に切断加工を行い回路基板の外縁に切断部を形成すること。集合基板から切断部の形成されていない部位を破断して回路基板の外縁に破断部を形成し、回路基板を個片化すること。主流路を流れる空気の一部が流れる計測流路を有するハウジングを射出成形すること。ハウジングの射出成形と同時、または、ハウジングの射出成形の後に、回路基板の外縁のうち破断部を計測流路に配置することなく、計測流路を除く位置に破断部を配置し、回路基板をハウジングに固定すること。
【手続補正４】
【補正対象書類名】明細書
【補正対象項目名】００１０
【補正方法】変更
【補正の内容】
【００１０】
これによれば、請求項８に記載の製造方法も、請求項１に記載の発明と同様に、空気流量測定装置の品質のばらつきを防ぎ、空気流量の検出精度を向上することができる。